(57)【要約】【課題】セキュリティー上、利用しないデータ情報も含めて外部記憶媒体内の全てのデータが装置本体内のデータ格納部に移動されてしまう。そのため、装置本体側に移動してしまったデータを元の外部記憶媒体に戻す時に、操作上の手間や時間が掛かるといった問題があった。【解決手段】  画像作成部が作成した画像データを外部記憶媒体に書込み又は外部記憶媒体から装置本体内に画像データを読込み可能な画像作成装置、画像形成装置及び画像処理装置において、前記装置本体内には前記外部記憶媒体に書き込む画像データに識別情報を付して記録する記録部と、前記記録部により記録された画像データを格納するデータ格納部と、前記データ格納部に対して前記記録部に記録された識別情報に基づき、前記外部記憶媒体の画像データを移動させるデ−タ操作部と、を含むこと。【選択図】    図１
2010233166.tif 000002
【特許請求の範囲】
【請求項１】
画像作成部が作成した画像データを外部記憶媒体に書込み又は外部記憶媒体から装置本体内に画像データを読込み可能な画像作成装置において、
前記装置本体内には前記外部記憶媒体に書込まれている画像データの識別情報を記録する記録部と、
前記記録部により記録された画像データを格納するデータ格納部と、
前記データ格納部に対して前記記録部内の識別情報に基づき、前記外部記憶媒体の画像データを移動させるデ−タ操作部と、
を含むことを特徴とする画像作成装置。
【請求項２】
前記外部記憶媒体はインターフェイス部を介して外部記憶媒体検出部と接続されており、この外部記憶媒体検出部によって前記外部記憶媒体が前記装置本体に装着されていることを検出すると、前記デ−タ操作部によって前記記録部に記録されている識別情報に対応する画像データを前記外部記憶媒体から前記データ格納部に移動することを特徴とする請求項１に記載の画像作成装置。
【請求項３】
前記識別情報は、前記画像データのファイル名、前記画像データの作成時刻、前記画像データに埋め込まれたＩＤ若しくは前記画像データのハッシュ値の何れか又は組み合わせることを特徴とする請求項１又は請求項２に記載の画像作成装置。
【請求項４】
前記識別情報は、前記画像データの作成を前記画像作成部に指示した利用者識別情報及び／又は前記画像データの格納場所情報を有することを特徴とする請求項１から請求項３に記載の画像作成装置。
【請求項５】
前記デ−タ操作部は、前記画像データの格納場所を移動すると、前記記録部に記録された識別情報の格納場所情報を更新することを特徴とする請求項１から請求項４に記載の画像作成装置。
【請求項６】
前記デ−タ操作部は、利用者が当該装置の利用を終了してから所定時間経過後に外部記憶媒体に格納された前記画像データをデータ一時格納部に移動することを特徴とする請求項１から請求項５に記載の画像作成装置。
【請求項７】
前記デ−タ操作部は、利用者が当該装置の操作を終了してから所定時間経過後に外部記憶媒体に格納された前記画像データを前記データ一時格納部に移動することを特徴とする請求項１から請求項６に記載の画像作成装置。
【請求項８】
前記デ−タ操作部は、外部記憶媒体からの画像データ書出し完了後から所定時間経過後に外部記憶媒体に格納された前記画像データを前記データ格納部に移動することを特徴とする請求項１から請求項７に記載の画像作成装置。
【請求項９】
前記装置本体内には前回使用した利用者の識別情報を記録する前利用者情報記憶部を備え、前記デ−タ操作部によって、利用を開始する利用者の識別情報と、前記前利用者情報記憶部に記録されている情報とが異なれば、前記外部記憶媒体に格納された画像データを前記データ格納部へ移動することを特徴とする請求項１から請求項８に記載の画像作成装置。
【請求項１０】
前記外部記憶媒体検出部は前記装置本体から前記外部記憶媒体が取り出されたことを検出すると前記識別情報記録部に記録された前記識別情報を消去することを特徴とする請求項１から請求項９に記載の画像作成装置。
【請求項１１】
前記外部記憶媒体検出部は前記装置本体から前記外部記憶媒体が取り出されたことを検出すると前記識別情報部に記録された前記格納場所情報が外部記憶媒体であることを示す識別情報を前記識別情報記録部から消去することを特徴とする請求項１から請求項１０に記載の画像作成装置。
【請求項１２】
前記外部記憶媒体検出部は前記装置本体に前記外部記憶媒体の装着を検出すると、前記データ操作部は前記データ一時格納部に格納された前記画像データを前記外部記憶媒体に移動することを特徴とする請求項１から請求項１１に記載の画像作成装置。
【請求項１３】
前記外部記憶媒体検出部は前記装置本体に前記利用者識別情報を備えた前記外部記憶媒体の装着を検出すると、前記データ操作部は前記外部記憶媒体に有する前記利用者識別情報と前記識別情報記録部に記録された利用者識別情報が同一であり、かつ、前記識別情報
の格納場所情報がデータ一時格納部である識別情報を抽出して、その抽出した識別情報に対応する画像データを前記データ格納部から前記外部記憶媒体に移動することを特徴とする請求項１から請求項１２に記載の画像作成装置。
【請求項１４】
前記データ操作部は前記識別情報記録部に記録された利用を開始する利用者の利用者識別情報と前記識別情報に記録された前記識別情報の前記利用者識別情報が同一であり、かつ、前記識別情報の格納場所情報が前記データ一時格納部である識別情報を抽出して、その抽出した識別情報に対応する画像データを前記データ一時格納部から前記外部記憶媒体に移動することを特徴とする請求項１から請求項１３に記載の画像作成装置。
【請求項１５】
前記データ操作部は前記データ一時格納部に格納された前記画像データの前記外部媒体への移動の可否を問い合わせることを特徴とする請求項１から請求項１４に記載の画像作成装置。
【請求項１６】
前記データ操作部は前記データ一時格納部から前記外部記憶媒体へ移動する格納部内の画像データを利用者に選択させることを特徴とする請求項１から請求項１５に記載の画像作成装置。
【請求項１７】
前記データ操作部は前記識別情報記録部から利用を開始する利用者の利用者識別情報と前記識別情報部の前記利用者識別情報が同一であり、かつ、前記識別情報の格納場所情報が前記データ格納部である識別情報を抽出して、その抽出した識別情報に対応する画像データを前記データ格納部から消去し、前記識別情報記録部から抽出した識別情報を消去することを特徴とする請求項１から請求項１６に記載の画像作成装置。
【請求項１８】
前記データ操作部は画像データの消去の可否を利用者に問い合わせることを特徴とする請求項１から請求項１７に記載の画像作成装置。
【請求項１９】
前記データ操作部は画像データを利用者に選択させることを特徴とする請求項１から請求項１８に記載の画像作成装置。
【請求項２０】
前記データ操作部は前記外部記憶媒体に格納された画像データを暗号化して前記データ格納部に移動することを特徴とする請求項１から請求項１８に記載の画像作成装置。
【請求項２１】
前記データ操作部は前記データ格納部に暗号化して格納された画像データを復号化して前記外部記憶媒体に移動することを特徴とする請求項１から請求項２０に記載の画像作成装置。
【請求項２２】
装置本体は利用を開始する利用者の識別情報と前利用者情報記録部に記載された利用者情報とが異なれば前記外部記憶媒体を利用する機能の使用を制限することを特徴とする請求項１から請求項２１に記載の画像作成装置。
【請求項２３】
データ操作部は前記外部記憶媒体に格納された画像データを前記データ格納部に移動した後、前記画像データが格納された外部記憶媒体の領域に定数を書き込むことを特徴とする請求項１から請求項２２に記載の画像作成装置。
【請求項２４】
データ操作部は前記外部記憶媒体に格納された画像データを前記データ格納部に移動した後、前記画像データが格納された外部記憶媒体の領域に乱数を書き込むことを特徴とする請求項１から請求項２３に記載の画像作成装置。
【請求項２５】
外部記憶媒体に記録された画像データを基にまたは装置本体内の画像データ読取手段によって画像形成可能な画像形成装置において、
前記装置本体内には前記外部記憶媒体に書き込まれた画像データの識別情報を記録する記録部と、
前記記録部により記録された画像データを格納するデータ格納部と、
前記データ格納部に対して前記記録部に記録された識別情報に基づき、前記外部記憶媒体の画像データを移動させるデ−タ操作部と、
を含むことを特徴とする画像形成装置。
【請求項２６】
前記外部記憶媒体はインターフェイス部を介して外部記憶媒体検出部と接続されており、この外部記憶媒体検出部によって前記外部記憶媒体が前記装置本体に装着されていることを検出すると、前記デ−タ操作部によって前記記録部に記録されている識別情報に対応する画像データを前記外部記憶媒体から前記データ格納部に移動することを特徴とする請求項２５に記載の画像形成装置。
【請求項２７】
前記識別情報は、前記画像データのファイル名、前記画像データの作成時刻、前記画像データに埋め込まれたＩＤ若しくは前記画像データのハッシュ値の何れか又は組み合わせることを特徴とする請求項２５又は請求項２６に記載の画像形成装置。
【請求項２８】
前記識別情報は、前記画像データの作成を前記画像作成部に指示した利用者識別情報及び／又は前記画像データの格納場所情報を有することを特徴とする請求項１から請求項３に記載の画像形成装置。
【請求項２９】
前記デ−タ操作部は、前記画像データの格納場所を移動すると、前記記録部に記録された識別情報の格納場所情報を更新することを特徴とする請求項２５から請求項２７に記載の画像形成装置。
【請求項３０】
前記デ−タ操作部は、利用者が当該装置の利用を終了してから所定時間経過後に外部記憶媒体に格納された前記画像データをデータ一時格納部に移動することを特徴とする請求項２５から請求項２９に記載の画像形成装置。
【請求項３１】
前記デ−タ操作部は、利用者が当該装置の操作を終了してから所定時間経過後に外部記憶媒体に格納された前記画像データを前記データ一時格納部に移動することを特徴とする請求項２５から請求項３０に記載の画像形成装置。
【請求項３２】
前記デ−タ操作部は、外部記憶媒体からの画像データ書出し完了後から所定時間経過後に外部記憶媒体に格納された前記画像データを前記データ一時格納部に移動することを特徴とする請求項２５から請求項３１に記載の画像形成装置。
【請求項３３】
前記装置本体内には前回使用した利用者の識別情報を記録する前利用者情報記憶部を備え、前記デ−タ操作部によって、利用を開始する利用者の識別情報と、前記前利用者情報記憶部に記録されている情報とが異なれば、前記外部記憶媒体に格納された画像データを前記データ一時格納部へ移動することを特徴とする請求項２５から請求項３２に記載の画像形成装置。
【請求項３４】
前記外部記憶媒体検出部は前記装置本体から前記外部記憶媒体が取り出されたことを検出すると前記識別情報記録部に記録された前記識別情報を消去することを特徴とする請求項２５から請求項３３に記載の画像形成装置。
【請求項３５】
前記外部記憶媒体検出部は前記装置本体から前記外部記憶媒体が取り出されたことを検出すると前記識別情報部に記録された前記格納場所情報が外部記憶媒体であることを示す識別情報を前記識別情報部から消去することを特徴とする請求項２５から請求項３４に記載の画像形成装置。
【請求項３６】
前記外部記憶媒体検出部は前記装置本体に前記外部記憶媒体の装着を検出すると、前記データ操作部は前記データ一時格納部に格納された前記画像データを前記外部記憶媒体に移動することを特徴とする請求項２５から請求項３５に記載の画像形成装置。
【請求項３７】
前記外部記憶媒体検出部は前記装置本体に前記利用者識別情報を備えた前記外部記憶媒体の装着を検出すると、前記データ操作部は前記外部記憶媒体に有する前記利用者識別情報と前記識別情報記録部に記録された利用者識別情報が同一であり、かつ、前記識別情報
の格納場所情報がデータ格納部である識別情報を抽出して、その抽出した識別情報に対応する画像データを前記データ一時格納部から前記外部記憶媒体に移動することを特徴とする請求項２５から請求項３６に記載の画像形成装置。
【請求項３８】
前記データ操作部は前記識別情報記録部に記録された利用を開始する利用者の利用者識別情報と前記識別情報に記録された前記識別情報の前記利用者識別情報が同一であり、かつ、前記識別情報の格納場所情報が前記データ一時格納部である識別情報を抽出して、その抽出した識別情報に対応する画像データを前記データ格納部から前記外部記憶媒体に移動することを特徴とする請求項２５から請求項３７に記載の画像形成装置。
【請求項３９】
前記データ操作部は前記データ一時格納部に格納された前記画像データの前記外部媒体への移動の可否を問い合わせることを特徴とする請求項２５から請求項３８に記載の画像形成装置。
【請求項４０】
前記データ操作部は前記データ一時格納部から前記外部記憶媒体へ移動する格納部内の画像データを利用者に選択させることを特徴とする請求項２５から請求項３９に記載の画像形成装置。
することを特徴とする請求項２５から請求項３９に記載の画像形成装置。
【請求項４１】
前記データ操作部は前記識別情報記録部から利用を開始する利用者の利用者識別情報と前記識別情報部の前記利用者識別情報が同一であり、かつ、前記識別情報の格納場所情報が前記データ格納部である識別情報を抽出して、その抽出した識別情報に対応する画像データを前記データ格納部から消去し、前記識別情報記録部から抽出した識別情報を消去することを特徴とする請求項２５から請求項４０に記載の画像形成装置。
【請求項４２】
前記データ操作部は画像データの消去の可否を利用者に問い合わせることを特徴とする請求項２５から請求項４１に記載の画像形成装置。
【請求項４３】
前記データ操作部は画像データを利用者に選択させることを特徴とする請求項２５から請求項４２に記載の画像形成装置。
【請求項４４】
前記データ操作部は前記外部記憶媒体に格納された画像データを暗号化して前記データ一時格納部に移動することを特徴とする請求項２５から請求項４３に記載の画像形成装置。
【請求項４５】
前記データ操作部は前記データ一時格納部に暗号化して格納された画像データを復号化して前記外部記憶媒体に移動することを特徴とする請求項２５から請求項４４に記載の画像形成装置。
【請求項４６】
装置本体は利用を開始する利用者の識別情報と前利用者情報記録部に記載された利用者情報とが異なれば前記外部記憶媒体を利用する機能の使用を制限することを特徴とする請求項２５から請求項４５に記載の画像形成装置。
【請求項４７】
データ操作部は前記外部記憶媒体に格納された画像データを前記データ一時格納部に移動した後、前記画像データが格納された外部記憶媒体の領域に定数を書き込むことを特徴とする請求項２５から請求項４６に記載の画像形成装置。
【請求項４８】
データ操作部は前記外部記憶媒体に格納された画像データを前記データ一時格納部に移動した後、前記画像データが格納された外部記憶媒体の領域に乱数を書き込むことを特徴とする請求項２５から請求項４７に記載の画像形成装置。
【請求項４９】
画像データを記録又は記録された画像データを読出し或いは画像データを外部記憶媒体に書出し可能な画像処理装置において、
前記装置本体内には前記外部記憶媒体に書き込まれた画像データの識別情報を記録する記録部と、
前記記録部により記録された画像データを格納するデータ格納部と、
前記データ格納部に対して前記記録部に記録された識別情報に基づき、前記外部記憶媒体の画像データを移動させるデ−タ操作部と、
を含むことを特徴とする画像処理装置。
【請求項５０】
前記外部記憶媒体はインターフェイス部を介して外部記憶媒体検出部と接続されており、この外部記憶媒体検出部によって前記外部記憶媒体が前記装置本体に装着されていることを検出すると、前記デ−タ操作部によって前記記録部に記録されている識別情報に対応する画像データを前記外部記憶媒体から前記データ格納部に移動することを特徴とする請求項４９に記載の画像処理装置。
【請求項５１】
前記識別情報は、前記画像データのファイル名、前記画像データの作成時刻、前記画像データに埋め込まれたＩＤ若しくは前記画像データのハッシュ値の何れか又は組み合わせることを特徴とする請求項４９又は請求項５０に記載の画像処理装置。
【請求項５２】
前記識別情報は、前記画像データの作成を前記画像作成部に指示した利用者識別情報及び／又は前記画像データの格納場所情報を有することを特徴とする請求項４９から請求項５１に記載の画像処理装置。
【請求項５３】
前記デ−タ操作部は、前記画像データの格納場所を移動すると、前記記録部に記録された識別情報の格納場所情報を更新することを特徴とする請求項４９から請求項５２に記載の画像処理装置。
【請求項５４】
前記デ−タ操作部は、利用者が当該装置の利用を終了してから所定時間経過後に外部記憶媒体に格納された前記画像データをデータ一時格納部に移動することを特徴とする請求項４９から請求項５３に記載の画像処理装置。
【請求項５５】
前記デ−タ操作部は、利用者が当該装置の操作を終了してから所定時間経過後に外部記憶媒体に格納された前記画像データを前記データ一時格納部に移動することを特徴とする請求項４９から請求項５４に記載の画像処理装置。
【請求項５６】
前記デ−タ操作部は、外部記憶媒体からの画像データ書出し完了後から所定時間経過後に外部記憶媒体に格納された前記画像データを前記データ一時格納部に移動することを特徴とする請求項４９から請求項５５に記載の画像処理装置。
【請求項５７】
前記装置本体内には前回使用した利用者の識別情報を記録する前利用者情報記憶部を備え、前記デ−タ操作部によって、利用を開始する利用者の識別情報と、前記前利用者情報記憶部に記録されている情報とが異なれば、前記外部記憶媒体に格納された画像データを前記データ格納部へ移動することを特徴とする請求項４９から請求項５６に記載の画像処理装置。
【請求項５８】
前記外部記憶媒体検出部は前記装置本体から前記外部記憶媒体が取り出されたことを検出すると前記識別情報記録部に記録された前記識別情報を消去することを特徴とする請求項４９から請求項５７に記載の画像処理装置。
【請求項５９】
前記外部記憶媒体検出部は前記装置本体から前記外部記憶媒体が取り出されたことを検出すると前記識別情報部に記録された前記格納場所情報が外部記憶媒体であることを示す識別情報を前記識別情報部から消去することを特徴とする請求項４９から請求項５８に記載の画像処理装置。
【請求項６０】
前記外部記憶媒体検出部は前記装置本体に前記外部記憶媒体の装着を検出すると、前記データ操作部は前記データ一時格納部に格納された前記画像データを前記外部記憶媒体に移動することを特徴とする請求項４９から請求項５９に記載の画像処理装置。
【請求項６１】
前記外部記憶媒体検出部は前記装置本体に前記利用者識別情報を備えた前記外部記憶媒体の装着を検出すると、前記データ操作部は前記外部記憶媒体に有する前記利用者識別情報と前記識別情報記録部に記録された利用者識別情報が同一であり、かつ、前記識別情報
の格納場所情報がデータ一時格納部である識別情報を抽出して、その抽出した識別情報に対応する画像データを前記データ一時格納部から前記外部記憶媒体に移動することを特徴とする請求項４９から請求項６０に記載の画像処理装置。
【請求項６２】
前記データ操作部は前記識別情報記録部に記録された利用を開始する利用者の利用者識別情報と前記識別情報に記録された前記識別情報の前記利用者識別情報が同一であり、かつ、前記識別情報の格納場所情報が前記データ一時格納部である識別情報を抽出して、その抽出した識別情報に対応する画像データを前記データ格納部から前記外部記憶媒体に移動することを特徴とする請求項４９から請求項６１に記載の画像処理装置。
【請求項６３】
前記データ操作部は前記データ一時格納部に格納された前記画像データの前記外部媒体への移動の可否を問い合わせることを特徴とする請求項４９から請求項６２に記載の画像処理装置。
【請求項６４】
前記データ操作部は前記データ一時格納部から前記外部記憶媒体へ移動する格納部内の画像データを利用者に選択させることを特徴とする請求項４９から請求項６３に記載の画像処理装置。
【請求項６５】
前記データ操作部は前記識別情報記録部から利用を開始する利用者の利用者識別情報と前記識別情報部の前記利用者識別情報が同一であり、かつ、前記識別情報の格納場所情報が前記データ一時格納部である識別情報を抽出して、その抽出した識別情報に対応する画像データを前記データ格納部から消去し、前記識別情報記録部から抽出した識別情報を消去することを特徴とする請求項４９から請求項６４に記載の画像処理装置。
【請求項６６】
前記データ操作部は画像データの消去の可否を利用者に問い合わせることを特徴とする請求項４９から請求項６５に記載の画像処理装置。
【請求項６７】
前記データ操作部は画像データを利用者に選択させることを特徴とする請求項４９から請求項６６に記載の画像処理装置。
【請求項６８】
前記データ操作部は前記外部記憶媒体に格納された画像データを暗号化して前記データ一時格納部に移動することを特徴とする請求項４９から請求項６７に記載の画像処理装置。
【請求項６９】
前記データ操作部は前記データ一時格納部に暗号化して格納された画像データを復号化して前記外部記憶媒体に移動することを特徴とする請求項４９から請求項６８に記載の画像処理装置。
【請求項７０】
装置本体は利用を開始する利用者の識別情報と前利用者情報記録部に記載された利用者情報とが異なれば前記外部記憶媒体を利用する機能の使用を制限することを特徴とする請求項４９から請求項６９に記載の画像処理装置。
【請求項７１】
データ操作部は前記外部記憶媒体に格納された画像データを前記データ一時格納部に移動した後、前記画像データが格納された外部記憶媒体の領域に定数を書き込むことを特徴とする請求項４９から請求項７０に記載の画像処理装置。
【請求項７２】
データ操作部は前記外部記憶媒体に格納された画像データを前記データ一時格納部に移動した後、前記画像データが格納された外部記憶媒体の領域に乱数を書き込むことを特徴とする請求項４９から請求項７１に記載の画像処理装置。
【発明の詳細な説明】
【技術分野】
【０００１】
本発明は、プリンタ、複写機、或いはスキャナなどといった画像データの作成、処理、形成又は記憶等の機能を備えた画像作成装置、画像形成装置及び画像処理装置に関する。
【背景技術】
【０００２】
これ等の機能を備えた装置としては、ＭＦＰ（Ｍｕｌｔｉ  Ｆｕｎｃｔｉｏｎ  Ｐｅｒｉｐｈｅｒａｌ）などが一般に知られている。
【０００３】
このＭＦＰは、プリンタとしての画像形成の他、スキャナ、複写機としての画像作成機能及び画像処理機能を兼備えた複合機であり、近時、その装置本体にディジタルカメラを接続してその写真画像をプリントしたり、或いはＵＳＢコネクタを介した外部記憶媒体と直接接続してその外部記憶媒体の画像データを取り込んでプリントしたり、逆に外部記憶媒体に記録もでき、更に多機能化している。
【０００４】
例えば、ディジタルカメラから写真などの画像データを読込みプリントする技術として、従来では下記特許文献１に示すような装置が考えられている。
【０００５】
また、メモリカードなどの外部記憶媒体から画像データを読込みプリントする技術として、従来下記特許文献２に示すような装置が考えられていた。
【０００６】
この特許文献２の装置は、ＭＦＰに関する技術であって、外部記憶媒体内の例えば写真等の画像データを装置本体内の記憶手段に暗号化して取込み、プリンタを作動させることにより、必要とする画像データ等をプリントするものであり、プリントの動作終了後、装置本体から外部記憶媒体が取外されないまま一定時間経過すると、外部記憶媒体内のデータは全て装置内の記憶手段に退避され、かつ、外部記憶媒体のデータを消去することによって、外部記憶媒体のデータ盗難防止策が図れるものであった。
【先行技術文献】
【特許文献】
【０００７】
【特許文献１】特開２００７−３２９６６１号公報
【特許文献２】特開２００６−３４１４９７号公報
【発明の概要】
【発明が解決しようとする課題】
【０００８】
しかし、従来のＭＦＰは、セキュリティー上、利用しないデータ情報も含めて外部記憶媒体内の全てのデータが装置本体内のデータ格納部に移動されてしまう。そのため、装置本体側に移動してしまったデータを元の外部記憶媒体に戻す時に、操作上の手間や時間が掛かるといった問題があった。
【０００９】
（発明の目的）
そこで本発明の目的は、上記問題に鑑みなされたもので、画像データを選択的に外部記憶媒体から装置本体側のデータ格納部に識別可能に移動でき、外部記憶媒体への画像データ復元時の手間や時間を省くことができ、利用者の利便性向上に有効な画像作成装置、画像形成装置及び画像処理装置を提供することにある。
【課題を解決するための手段】
【００１０】
本発明は、上記目的を達成するため下記の基本構成を具備する。
（画像作成装置の構成）
画像作成部が作成した画像データを外部記憶媒体に書込み又は外部記憶媒体から装置本体内に画像データを読込み可能な画像作成装置において、前記装置本体内には前記外部記憶媒体に書き込まれた画像データの識別情報を記録する記録部と、前記記録部により記録された画像データを格納するデータ格納部と、前記データ格納部に対して前記記録部に記録された識別情報に基づき、前記外部記憶媒体の画像データを移動させるデ−タ操作部と、を含むこと。
【００１１】
（画像形成装置の構成）
外部記憶媒体に記録された画像データを基にまたは装置本体内の画像データ読取手段によって画像形成可能な画像形成装置において、前記装置本体内には前記外部記憶媒体に書き込まれた画像データの識別情報を記録する記録部と、前記記録部により記録された画像データを格納するデータ格納部と、前記データ格納部に対して前記記録部に記録された識別情報に基づき、前記外部記憶媒体の画像データを移動させるデ−タ操作部と、を含むこと。
【００１２】
（画像処理装置の構成）
画像データを記録又は記録された画像データを読出し或いは画像データを外部記憶媒体に書出し可能な画像処理装置において、前記装置本体内には前記外部記憶媒体に書き込まれた画像データの識別情報を記録する記録部と、前記記録部により記録された画像データを格納するデータ格納部と、前記データ格納部に対して前記記録部に記録された識別情報に基づき、前記外部記憶媒体の画像データを移動させるデ−タ操作部と、を含むこと。
【発明の効果】
【００１３】
本発明は、上記のように構成することによって、必要とする画像データを選択的に外部記憶媒体から装置本体側のデータ格納部に識別可能に移動でき、画像形成時など利用する際には、識別情報記録部からの記録情報を基に、必要とする画像データを抽出できる。また、利用しない画像データは外部記憶媒体から移動されないため、画像データ復元時の手間や時間を省くことができ、従って、利用者の利便性を向上させることができるといった利点を有する。更に、外部記憶媒体を装着したままログアウトしても、次の利用者がログインした場合に外部記憶媒体内のデータはデータ格納部に移動するため外部記憶媒体内のデータを第三者が利用できなくなる。従って、セキュリティーも向上する。
【図面の簡単な説明】
【００１４】
【図１】本発明の実施例１に係るＭＦＰの基本構成を示すブロック図である。
【図２】同実施例１のＭＦＰの操作パネルを示す平面図である。
【図３】同実施例１の識別情報記録部の記録内容の例である。
【図４】同実施例１の動作を表すフローチャートである。
【図５】同実施例１の操作パネルの表示内容の１例を示すイメージ図である。
【図６】同実施例１の利用者情報の例である。
【図７】同実施例１の操作パネルの表示内容の１例を示すイメージ図である。
【図８】同実施例１の操作パネルの表示内容の１例を示すイメージ図である。
【図９】同実施例１のプリント動作を表すフローチャートである。
【図１０】同実施例１の操作パネルの表示内容の１例を示すイメージ図である。
【図１１】同実施例１の操作パネルの表示内容の１例を示すイメージ図である。
【図１２】同実施例１のスキャン動作を表すフローチャートである。
【図１３】同実施例１のファイル操作動作を表すフローチャートである。
【図１４】同実施例１のメモリカード抜き忘れ対策処理を表すフローチャートである。
【図１５】本発明の実施例２に係るＭＦＰの基本構成を示すブロック図である。
【図１６】同実施例２の動作を表すフローチャートである。
【図１７】同実施例２の復元処理動作を表すフローチャートである。
【図１８】同実施例２のメモリカード内容移動処理動作を表すフローチャートである。
【図１９】同実施例２の操作パネルの表示内容の１例を示すイメージ図である。
【図２０】同実施例２の操作パネルの表示内容の１例を示すイメージ図である。
【図２１】同実施例２の操作パネルの表示内容の１例を示すイメージ図である。
【図２２】同実施例２の操作パネルの表示内容の１例を示すイメージ図である。
【発明を実施するための形態】
【００１５】
以下、本発明の実施形態を図面に基づき説明する。
【実施例１】
【００１６】
図１は本発明の第１の実施例に係る画像作成装置、画像形成装置及び画像処理装置としてのＭＦＰの基本構成を示すブロック図である。
【００１７】
ＭＦＰ１は、図１に示すように、制御部（以下、ＣＰＵという）２と、このＣＰＵ２に制御バス等を介して接続され画像作成するスキャナ部３と、画像形成するプリンタ部４と、画像記録するストレージ部５及び操作パネル部６を有している。
【００１８】
このＭＦＰ１のＣＰＵ２には、外部記憶媒体（メモリカードまたはメモリディスクなど）７への外部記憶媒体Ｉ／Ｆ部８、外部記憶媒体検出部９、識別情報記録部１０、データ一時格納部１１及びデータ操作部１２が接続されている。
【００１９】
ＣＰＵ２は、図示しない制御回路、ＡＬＵ及びレジスタ等から構成され、ストレージ部５などに組込まれた各種プログラムに基づき、外部記憶媒体７からの画像データを選択的に読取り、処理、又は出力するための制御や、外部記憶媒体７の着脱判定、更にはＭＦＰ１全体の動作を制御している。
【００２０】
外部記憶媒体７は、図や文字、写真といった画像データを電子的ファイルとして保存する、例えば、ディジタルカメラ内に装填されるメモリカードやスティック状のＵＳＢメモリ若しくはリードディスクドライブなどからなる。そして、ＭＦＰ１の外部記憶媒体Ｉ／Ｆ部８と直接的又は間接的に着脱可能に構成されている。
【００２１】
外部記憶媒体Ｉ／Ｆ部８は、ＭＦＰ１と外部記憶媒体７との介在手段であって、ＣＰＵ２の制御指令に基づき、外部記憶媒体７に格納、保存された画像データをＭＦＰ１内に読み取り、或いはＭＦＰ１内の画像データを外部記憶媒体７に登録保存が可能となるように設定されている。この外部記憶媒体Ｉ／Ｆ部８とＣＰＵ２との間には外部記憶媒体検出部９が設けられている。
【００２２】
外部記憶媒体検出部９は、ＣＰＵ２からの指令により外部記憶媒体７と装置本体との着脱状況を感知できるように構成されている。
【００２３】
識別情報記録部１０は、ＣＰＵ２とデータ操作部１２との間に制御バス等を介して接続されており、ＣＰＵ２からの指令によって、新たな画像データの情報内容や画像データの保存場所を記録する。その識別情報の記録は、機能実行後になされる。
【００２４】
また、この識別情報記録部１０は既に記録されている識別情報の消去や更新を行う機能をも有し、図２に示す操作パネル部６の表示パネル１３や入力操作キー１４を操作することによって、図３に示すような記録内容が記録部内に記録できるように構成されている。
【００２５】
図３は、識別情報記録部１０の記録内容の１例を示しており、更に、表記事項を増やすこともできる。
ここでの画像データ識別情報とは、図３に示すように、画像データのファイル名、画像データの作成日時、画像データの格納対象として例えばユーザＩＤや画像データのハッシュ値の何れか内容が明確に特定できる情報である。
【００２６】
また保存場所とは、対象となる画像データがどこに保存されているかその所在を明確に表し、例えば、画像データがメモリカードに保存されていれば具体的に「メモリカード」、或いはデータ一時格納部１１に保存されていれば「一時保存」となる。
【００２７】
データ操作部１２は、識別情報記録部１０と外部記憶媒体Ｉ／Ｆ部８間に各種バスを介して接続されていると共に、ＣＰＵ２と外部記憶媒体Ｉ／Ｆ部８との間に各種バスを介して接続されている。
【００２８】
このデータ操作部１２は、ＣＰＵ２の指令に基づき、外部記憶媒体検出部９を通じ外部記憶媒体７に保存されている画像データの内、使用する画像データだけをデータ一時格納部１１に移動する。移動の対象となる画像データは、識別情報記録部１０の識別情報別に記録される。
【００２９】
また逆に、このデータ操作部１２はＣＰＵ２の指令によりデータ一時格納部１１に保存された画像データを外部記憶媒体Ｉ／Ｆ部８を介して外部記憶媒体７に出力する機能を有している。
【００３０】
更に、データ操作部１２は、利用者がＭＦＰ１の利用を終了してから所定時間経過した後や操作終了後所定時間経過した場合に外部記憶媒体７に格納された画像データをデータ一時格納部１１に移動する機能も有している。
【００３１】
データ一時格納部１１は、データ操作部１２と各種バスを介して接続されている。
このデータ一時格納部１１はＣＰＵ２の指令に基づき、かつ、データ操作部１２の操作に従って外部記憶媒体７から画像データを受け取り保存する。
【００３２】
また、このデータ一時格納部１１に保存された画像データは、ＣＰＵ２の指令に基づき、データ操作部１２の動作に従って操作パネル部６の表示パネル１３に表示される。
【００３３】
このデータ一時格納部１１は、揮発性メモリ、フラッシュメモリ等の不揮発性の書き換え可能な記憶装置として、ストレージ部５と同様に装置本体内に実装されている。
また、ハードディスクなどの磁気記憶媒体にて実装してもよい。
【００３４】
更に、これら記憶媒体としては、装置本体内だけに限らず、外付けハードディスクや装置本体とネットワークで接続された情報処理装置等、装置本体にアクセス可能な場所に実装してもよい。
【００３５】
本実施例では、データ一時格納部１１とストレージ部５とは別に分けて実装した場合を説明したが、一つの同じハードディスクで兼用したものであってもよい。
【００３６】
操作パネル部６は、ＭＦＰ１と利用者とのユーザＩ／Ｆであり、図２に、利用者がログインする際のログイン画面を表示させた状態の１例を示している。
【００３７】
この操作パネル部６には、表示パネル１３と入力操作キー１４、スタートボタン１５及びキャンセルボタン１６等が設けられている。表示パネル１３はタッチパネル方式に構成されている。
【００３８】
プリンタ部４は、ＣＰＵ２からの指令に基づき、画像データのラスタライズ化を行う。
例えば電子写真の画像データをプリントする場合、ディジタルカメラはＵＳＢコネクタを介して装置本体に接続される。画像データは、ＣＰＵ２の指令に基づき感光ドラム上に静電潜像が形成され、その静電潜像に所定のトナーを付着させることにより写真用紙に写し取ることで、プリントされる。
なお、写真情報等の画像データをプリントするには、専用の写真用紙を使用するのが良いが、普通紙に写取ることもできる。
【００３９】
スキャナ部３は、装置本体の上部など所定の位置に設けられる原稿載置用のガラス台、その下部側に照明ランプ、光学走査ユニット及び撮像ユニット部から構成されており、制御バスを介してＣＰＵ２と接続されている。そして、ガラス台上に載せた原稿（紙媒体）などからの画像を読取り、画像データを形成する。
【００４０】
ストレージ部５は、データ一時格納部１１と同様に揮発性、不揮発性の書き換え可能な記憶媒体によって構成され、データバス等を介してＣＰＵ２と接続されている。また、このストレージ部５は、ハードディスクなどの磁気記憶媒体によって装置本体に実装してもよく、外付けハードディスクやネットワークを介して接続された情報処理装置等からアクセス可能な場所に実装してもよい。
【００４１】
次に、このように構成される本実施例１の動作を説明する。
【００４２】
図４は本実施例１の動作のフローチャートを示している。以下、このフローチャートに沿って利用者がディジタルカメラ等で撮影した画像データを、ＭＦＰ１を使ってプリントする場合、プリントされたものをスキャンして保存、また保存されたデータのファイル操作の方法について説明する。なお、本実施例１では、同一人が続けて利用する場合を例に説明する。
【００４３】
ＭＦＰ１とディジタルカメラとは予めＵＳＢコネクタを介して接続してもよいが、ここではカメラ内から取出したメモリカード等の外部記憶媒体７をＭＦＰ１に接続するものとする。
【００４４】
（ステップＳ１０１）
先ず、利用者がＭＦＰ１の電源をＯＮ（図示しない）してＭＦＰ１を起動させると、図２及び図５に示すように、操作パネル部６の表示パネル１３に認証情報として利用者のユーザＩＤとパスワードを問い合わせるログイン画面が表示される。
この表示画面には、ユーザＩＤとパスワードのテキストボックス１７，１８の他、ログインを行うログインボタン１９とテキストボックス１７，１８の内容を消去するクリアボタン２２が表示される。
利用者は、表示パネル１３の指示にしたがって入力項目を選択し、予め定った自分のユーザＩＤとパスワード（夫々所定の記号や番号からなる暗証番号）を各テキストボックス１７、１８に入力操作キー１４から入力し、その後、ログインボタン１９を押下する。
【００４５】
（ステップＳ１０２）
ログインボタン１９が押下されると、ＣＰＵ２はログイン画面（ステップＳ１０１）で入力された認識情報が正しいか否かを判断する。
例えば、予めストレージ部５等のメモリ内に登録されている図６に示す利用者情報のユーザＩＤとパスワードをステップＳ１０１で入力されたものと比較する。未登録であれば、管理者により操作パネル部６の表示パネル１３上から設定し、再度ログインする。
一致（認証に成功）した場合には、ＣＰＵ２はログイン成功としてファイル復元機能（ステップＳ１０３）、機能選択機能（ステップＳ１０４）の動作を実行する。
一方、不一致（認証に失敗）の場合は、ＣＰＵ２の判断により表示画面は次に進まず再びログイン画面（ステップＳ１０１）に戻る。これによって、データ内容は第三者に見られることが防止できる。
このとき表示パネル１３には、ログインに失敗したことを表示してもよい。
【００４６】
（ステップＳ１０３）
利用者に対応付けられた画像データがデータ一時格納部１１に記録されていれば、ＣＰＵ２は次の機能選択画面（ステップＳ１０４）への実行に移る。
画像データが一時格納部１１に記録されていれば、ＣＰＵ２は外部記憶媒体７であるメモリカードからデータ一時格納部１１に移動させた画像データを外部記憶媒体７に戻す指令を実行した後に、機能選択実行（ステップＳ１０４）に移行する。
利用者が最初の場合と２度目以降の場合とでは、状況に応じた表示パネル１３の操作を行う。
【００４７】
（ステップＳ１０４）
図７は、利用者が最初の場合でログインに成功して、ＣＰＵ２が表示パネル１３に機能選択画面を表した状態を示している。
この表示画面にはスキャナ部３に対応する「スキャン」ボタン、プリンタ部４に対応する「プリント」ボタン、画像データの移動やコピー対応の「ファイル操作」ボタン、また、ログアウトを行う「ログアウト」ボタンが設けられている。利用者はこれによって、使用目的に応じた選択ができる。
【００４８】
（ステップＳ１０５）
機能選択画面中の「ログアウト」ボタン２０は、利用者が途中で機器の使用を中止する時などに使用する。
表示パネル１３にこの機能選択画面を表示している間、ＣＰＵ２によって、利用者が、ログアウトボタン２０を押下したか否かの判別ができるように設定されている。
利用者がログアウトボタン２０を押下しなければ、ＣＰＵ２は機能選択（ステップＳ１０６）の動作を可能とし、ログアウトボタン２０を押下するとログアウト処理（ステップＳ１１１）の動作を実行するように設定されている。
【００４９】
（ステップＳ１０６）
ＣＰＵ２は、利用者に選択させる機能を実行する。利用者は、スキャン機能であればスキャンボタンの押下、プリンタ機能であればプリントボタンの押下、ファイル操作機能であれば、ファイル操作ボタンの押下を実施する。
本実施例１でプリントする場合、外部記憶媒体７からの写真による画像データであり、利用者は表示パネル１３中「プリント」ボタン２１を押下する。
【００５０】
（ステップＳ１０７）
利用者が「スキャン」ボタンを押下すると、ＣＰＵ２はスキャン機能を実行し、表示パネル１３には図１０に示すスキャン機能実行画面が表示される。
この画面を見ながら利用者はスキャン実行時のパラメータを選択実行できる。例えば、読取原稿サイズ、濃度指定、保存先指定などができる。
【００５１】
（ステップＳ１０８）
「プリント」ボタン２１が押下されたならば、ＣＰＵ２からの実行指令に基づき表示パネル１３には、図８に示すプリント機能実行画面が表示される。利用者はその表示に従って表示パネル１３を操作する。
図８の表示パネル１３の表示画面から、利用者はファイル格納先欄２３にて「メモリカード」、「ストレージ部」かをプルダウンで選択できる。
また、プリント実行時のパラメータとして、部数等必要に応じ更に詳細設定が可能である。
【００５２】
更にこの表示画面には、画像データファイルの格納先を選択するプルダウンメニューと目的の画像データを選択するリストボックス２４とプリント部数を指定するメニューと印刷方法等の設定を行うプルダウンメニュー及びカラー・モノクロ設定を行うプルダウンメニューといった各種設定ボタン２５、更には詳細設定を行う詳細設定ボタン２６、また、ログアウトボタン２７やプリント終了する際の終了ボタン２８が配設されている。
【００５３】
なお、ファイルを選択する際、リストボックス２４では複数のファイルを選択することも可能である。
【００５４】
利用者は、画像データのファイルの選択とプリント実行時のパラメータ設定後、操作パネル部６のスタートボタン１５を押下することによってプリンタ部４が駆動し、所定の画像データをプリントすることができる。
【００５５】
（ステップＳ１０９）
利用者が「ファイル操作」ボタンを押下すると、ＣＰＵ２はファイル操作機能を実行し、表示パネル１３には図１１に示すファイル操作機能実行場面が表示される。これを基に利用者は選択されたファイルのコピー、移動、消去を実施することができる。
（ステップＳ１１０）
また、利用者がログアウトボタン２７を押下すると、ＣＰＵ２はこれにより処理を終了（ステップＳ１１１）する。終了ボタン２８を押下するとステップＳ１０４に戻る。
【００５６】
（ステップＳ１１２）
その後、ＣＰＵ２は外部記憶媒体の抜忘れ判定を実施する。
装着されたままの状態で所定の時間が経過したり、或いは利用者が装置を操作しない状態を継続すると、ＣＰＵ２のプログラム指令に基づき、データ操作部１２によって外部記憶媒体７中の画像データの内、プリントし終えた直前の画像データだけをデータ一時格納部１１に移動する。そして、利用者がログアウトボタン（戻り）２７又は終了ボタン２８を押下すると、ＣＰＵ２はその処理を終了する。
【００５７】
次に、選択できる各機能の実行について詳細に説明する。
先ず、外部記憶媒体７からの画像データをプリントするプリント機能については、図９のフローチャートに従って成される。その場合には図４のステップＳ１０８から呼び出される。
【００５８】
（ステップＳ１３１）
ＣＰＵ２は、操作パネル部６の表示パネル１３にプリント機能実行画面を作成する。この画面を利用して、利用者はプリントする画像データのファイル選択と、プリント実行時のパラメータを指定することができる。ファイルの格納先はＭＦＰ１のストレージ部５か、ネットワークで接続された画像処理装置である。プリント実行時のパラメータは、プリント部数、両面片面選択、綴じ代設定及びカラー・モノクロ選択の設定当である。ＭＦＰ１には図８のように表示パネル１３に表示される。また画像処理装置には、図８と同様に表示されるので利用者は画像処理装置からパラメータ設定後、スタートボタン１５を押下する。
【００５９】
（ステップＳ１３２）
ＣＰＵ２は、ステップＳ１３１でスタートボタン１５が押下されたと判断したならばステップＳ１３３の処理を実行する。一方、ログアウトボタン又は終了が押下されたらフローを終了する。
【００６０】
（ステップＳ１３３）
ＣＰＵ２は、ステップＳ１３１で指定されたファイルを画像データとして読み出す。読み出した画像データはプリンタ部４に渡される。
【００６１】
（ステップＳ１３４）
プリンタ部４は画像データをラスタライズ化し、プリントを実行する。
【００６２】
（ステップＳ１３５）
ＣＰＵ２は、プリント実行後、画像データを何処から読み出したかを判断する。外部記憶媒体７か又はそれ以外かを判断する。外部記憶媒体７であればステップＳ１３６に、それ以外であればステップＳ１３１に移行する。この場合、画像処理装置であるから、ステップＳ１３１に戻り、次のプリント設定に対して待機するか又は終了する。
【００６３】
（ステップＳ１３６）
ＣＰＵ２は、識別情報記録部１０にＭＦＰ１を利用している利用者のユーザＩＤとステップＳ１３３で読み出したファイルのファイル名と保存場所を記録する。ユーザＩＤが「００００」、ファイル名が「ＰＲＩＮＴ００００」である場合、図３のＮｏ．２の内容が識別情報記録部１０に記録される。保存場所は、読み出した画像データは外部記憶媒体７であるメモリカードに保存されているため、「メモリカード」と記録される。
【００６４】
次に、スキャン機能を利用して、紙媒体の写真を画像データとして保存する場合について説明する。図１２はそのフローチャートである。この場合には図４のステップＳ１０７から呼び出される。
【００６５】
（ステップＳ１２１）
利用者は、ＭＰＦ１の操作パネル部６を操作して表示パネル１３にスキャン機能実行画面を呼び出す。この表示パネル１３に従って、利用者はスキャン実行時のパラメータを指定する。
例えば、読取原稿サイズ、濃度の指定、カラー・モノクロ指定などを行う。また、スキャナ部３が作成した画像データはファイルとして保存されるため、データ一時格納部１１、ストレージ部５または外部記憶媒体７に格納し、その保存先を指定できる。また、保存先としては、ＭＦＰ１とネットアークを介して接続される情報処理装置（図示しない）でもよい。
図１０は、表示パネル１３に表示されるスキャン機能実行画面の例を示す。この表示パネル１３には出力先、読取原稿サイズ、カラー・モノクロスキャン（出力形式）、各指定を行うプルダウンメニュー６０、濃度指定を行うスライダ６１、出力ファイル名を入力するテキストボックス６２、詳細な設定を行う詳細設定ボタン６３が設けられている。また、ログアウトを行うログアウトボタン６４とスキャン機能を終了するための終了ボタン６５が備えられている。
利用者は必要な項目を設定後、操作パネル部６のスタートボタン１５を押下することにより処理がステップＳ１２２へと移り、スキャンが実行される。また、ログアウトボタン６４又は終了ボタン６５を押下することにより処理はステップＳ１２２へと移る。
【００６６】
（ステップＳ１２２）
ＣＰＵ２は、ステップＳ１２１で押下されたのがログアウトボタン６４又は終了ボタン６５なのかを判断する。これら各ボタンが押下された場合は、フローを終了し、一方スタートボタン１５が押下された場合はステップＳ１２３の処理を行う。
【００６７】
（ステップＳ１２３）
スキャナ部３は、紙媒体（写真）などから画像を読取り、画像データを作成する。作成された画像データは、ＣＰＵ２に渡される。
【００６８】
（ステップＳ１２４）
ＣＰＵ２は、ステップＳ１２３で作成した画像データをステップＳ１２１で指定された場所に保存する。ファイル名は、ステップＳ１２１で指定されている場合にはそのファイル名を、また指定されていなければＣＰＵ２がファイル名を決定する。その場合のファイル名は「ＳＣＡＮ＊＊＊」（＊＊＊は０００からの連番）となる。
【００６９】
（ステップＳ１２５）
ＣＰＵ２は、ステップＳ１２４で画像データを保存した先が「メモリカード」なのかを判断する。画像データを保存した先が「メモリカード」ならばステップＳ１２６の動作を行い、「メモリカード」以外であればステップＳ１２１に戻る。
【００７０】
（ステップＳ１２６）
ＣＰＵ２は、識別情報記録部１０にＭＦＰ１を利用している利用者のユーザＩＤと、ステップＳ１２４で保存したファイルのファイル名と保存場所を記録する。ユーザＩＤが「００００」、ファイル名が「ＳＣＡＮ００００」である場合、図３のＮｏ．１の内容が識別情報記録部１０に記録される。保存場所は、作成した画像データを外部記憶媒体７に保存するため「メモリカード」と記録される。
【００７１】
更に、ファイル操作機能について説明する。図１３はＭＦＰ１のＣＰＵ２がファイル操作機能を実行する場合のフローチャートを示す。このフローは図４のステップＳ１０９から呼び出される。
【００７２】
（ステップＳ１４１）
ＣＰＵ２は、操作パネル部６の表示パネル１３にファイル操作機能実行画面を作成する。この画面を利用して、利用者は操作を行うファイルの選択と動作の選択を行う。操作対象のファイルの格納先は、ＭＦＰ１のストレージ部５、ＭＦＰ1とネットワークで接続された情報処理装置、若しくはＭＦＰ１に外部記憶媒体７が装着されている場合は「メモリカード」である。選択するファイルは、コピー、移動及び消去である。利用者は、操作パネル部６でコピー又は移動を選択する場合、ファイルの「コピー」、「移動先」を選択する。
図１１は、表示パネル１３に表示されるファイル操作機能実行画面の例を示す。表示パネル１３には操作対象となるファイルの格納先を選択するプルダウンメニュー８０と、ファイルを選択するリストボックス８１と、実行する操作を選択するプルダウンメニュー８２と、移動コピー先を選択するプルダウンメニュー８３がある。また、ログアウトを行うログアウトボタン８４と、ファイル操作機能を終了するための戻るボタン８５も備えている。ファイルを選択するリストボックス８１では、一つ又は複数のファイルを選択することが出来る。利用者は、この画面を利用して操作したいファイルを選択すると共に動作の選択後、操作パネル部６のスタートボタン１５を押下することにより、ステップＳ１４２へと処理が移りファイル操作処理が実行される。また、ログアウトボタン８４若しくは戻るボタン８５を押下することにより処理がステップＳ１４２へと移る。
【００７３】
（ステップＳ１４２）
ＣＰＵ２は、ステップＳ１４１でログアウトボタン８４又は戻るボタン８５が押下されたかを判断する。押下されたら、そのフローは終了し、スタートボタン１５が押下されたらステップＳ１４３の処理を行う。
【００７４】
（ステップＳ１４３）
ＣＰＵ２は、ステップＳ１４１で利用者が指定したファイル操作を行う。
【００７５】
（ステップＳ１４４）
ＣＰＵ２は、ステップＳ１４３の処理を実行した結果、操作したファイルが外部記憶媒体７内に存在するか検索する。例えば、ファイルをストレージ部５からメモリカードにコピー又は移動した場合や、メモリカードからストレージ部５にファイルをコピーした場合が該当する。該当した場合はステップＳ１４５の動作を行い、該当しない場合はステップＳ１４１に戻る。
【００７６】
（ステップＳ１４５）
ＣＰＵ２は、識別情報記録部１０にＭＦＰ１を利用している利用者のユーザＩＤと、ステップＳ１４２で操作したファイルのファイル名と保存場所を記録する。ユーザＩＤが「００００」、ファイル名が「ＰＲＩＮＴ００００」である場合、図３のＮｏ．２の内容が識別情報記録部１０に記録される。保存場所は、対象となるファイルはメモリカードに存在するため「メモリカード」と記録される。
【００７７】
そして、外部記憶媒体７の抜き忘れ対策処理について下記に説明する。
図１４は、この外部記憶媒体７の抜き忘れ対策処理に関する実行プログラムのフローチャートである。このフローはステップＳ１１１から呼び出される。なお、ここではユーザＩＤが「００００」である利用者がログアウトした後にこのフローが呼びだされたものとする。
【００７８】
（ステップＳ１５１）
ＣＰＵ２は、所定時間経過するのを待つ。
【００７９】
（ステップＳ１５２）
ＣＰＵ２は、外部記憶媒体検出部９に問い合わせを行ない、外部記憶媒体Ｉ／Ｆ部８に外部記憶媒体７が挿入されているかを判断する。外部記憶媒体７がＭＦＰ１に挿着されていれば、ＣＰＵ２はステップＳ１５３の処理を行い、挿着されていなければ処理を終了する。
【００８０】
（ステップＳ１５３）
ＣＰＵ２は、データ操作部１２に対し外部記憶媒体７に保存されたファイルの移動を行うように指示する。データ操作部１２は、識別情報記録部１０に記録されたファイルの情報を基に外部記憶媒体７内のファイルを選択的にデータ一時格納部１１に移動する。具体的には、識別情報記録部１０からのユーザIDが、直前にＭＦＰ１からログアウトしたユーザIDであり、かつ、保存場所が「メモリカード」である行のファイル名を抽出する。ここでは、ユーザIDが「００００」、かつ、保存場所が「メモリカード」である行、つまり、図３に示すＮｏ．１、Ｎｏ．２の行を抽出する。更に、その行からファイル名、ここでは「ＳＣＡＮ００００」と「ＰＲＩＮＴ００００」を取得する。取得したファイル名であるファイルを外部記憶媒体７からデータ一時格納部１１に移動する。
【００８１】
（ステップＳ１５４）
ＣＰＵ２は、識別情報記録部１０の内容を更新する。具体的にはステップＳ１５３で移動したファイルに対応するファイル名が記載された行の保存場所を「一時保存」と書換え、更新する。ここでは、図３に示すＮｏ．1、Ｎｏ．２の行の保存場所を「メモリカード」から「一時保存」と書換え情報漏洩の安全が図れる。
【００８２】
（ステップＳ１５５）
ＣＰＵ２は、外部記憶媒体７がＭＦＰ１に挿着されていることと、外部記憶媒体７の内容をＭＦＰ１に移動したことを利用者に伝える。ここでは、ＣＰＵ２が利用者に対して電子メールを送信する。電子メールアドレスは、ユーザIDと共に識別情報記録部１０に登録されており、図６に示すテーブルにより取得する。
ステップＳ１５３において、外部記憶媒体７からデータ一時格納部１１に移動する画像データのファイルを暗号化し、暗号化した状態でデータ一時格納部１１に保存してもよく、また、ステップＳ１５３において、移動したファイルが記録された外部記憶媒体７上の領域を、例えば、“０”やランダムな値で上書きしてもよい。これにより、外部記憶媒体７を装着したままログアウトして、次の利用者がログインした場合、外部記憶媒体７内のデータを次の利用者である第三者は利用できなくなり、セキュリティが向上する。
【実施例２】
【００８３】
図１５は本発明の第２の実施例に係る画像作成装置、画像形成装置及び画像処理装置としてのＭＦＰ３０の構成を示すブロック図である。
図１５に示すように、本実施例２の構成は実施例１と同様の点もあり、同じ部分の説明は省略し、異なる点の説明をする。
【００８４】
ＭＦＰ３０は、図１５に示すように、制御部（以下、ＣＰＵという）３１と、このＣＰＵ３１に制御バス等を介し接続される画像作成部としてのスキャナ部３２、画像形成部としてのプリンタ部３３、画像記録部としてのストレージ部３４と及び操作パネル部３５を有している。
【００８５】
このＭＦＰ３０のＣＰＵ３１には、外部記憶媒体（メモリカードまたはメモリディスク）３６への外部記憶媒体Ｉ／Ｆ部３７、外部記憶媒体検出部３８、識別情報記録部３９、データ一時格納部４０、データ操作部４１が接続されており、更に、ＣＰＵ３１には前ログインユーザ（前利用者）情報記憶部４２が制御バス等を介して接続されている。
【００８６】
前ログインユーザ情報記憶部４２は、前回一度以上使用した利用者の識別情報を電子データとして記録する。
【００８７】
この前ログインユーザ情報記憶部４２は、前記デ−タ操作部４１によって、利用を開始する利用者の識別情報と、前ログインユーザ情報記憶部４２に記録されている情報とが異なれば、外部記憶媒体３６に格納された画像データを前記データ一時格納部４０へ移動するように設定されている。
【００８８】
ここでの利用者の情報は、ユーザＩＤであるから、前ログインユーザ情報記憶部４２はユーザＩＤを記録する。
【００８９】
ユーザＩＤは、図６に示すように、操作パネル部３５上に表記され、その情報内容については、利用者がＭＦＰ３０を使用して、ログアウトすると更新する。
【００９０】
なお、前ログインユーザ情報記憶部４２以外の構成については実施例１と同様に付き説明は省略する。
【００９１】
次に、本実施例２の動作について、実施例１同様、外部記憶媒体（メモリカード）３６に登録された写真の画像データ等を、ＭＦＰ３０を使ってプリントする場合について説明する。
【００９２】
なお、本実施例２では、第３者が後から利用することを想定した説明とする。
【００９３】
（ステップＳ２０１）
図１６に本実施例２の動作概要のフローチャートを示す。利用者がＭＦＰ３０の電源をＯＮ（図示しない）するとＭＦＰ３０が起動して操作パネル部３５には、図２のように表示される。
【００９４】
（ステップＳ２０２）
これにより、利用者は所定のユーザＩＤをテキストボックス１７，１８に入力操作キー１４から書き込み、ログインボタン１９を押下する。
【００９５】
（ステップＳ２０３）
前ログインユーザＩＤは、前ログインユーザ情報記憶部４２から取得する。
【００９６】
（ステップＳ２０４）
ＣＰＵ３１は今ログインを行った利用者のユーザＩＤとステップＳ２０３で記録された前ログインユーザＩＤとを比較して、同一か否かの判断を実行する。合致すれば、ＣＰＵ３１はファイル復元機能（ステップＳ２０６）の動作を実行し、異なればメモリカード内容移動処理（ステップＳ２０５）の動作を実行する。
【００９７】
（ステップＳ２０５）
ＣＰＵ３１が、利用者が異なると判断した場合、ＣＰＵ３１のプログラム指令に基づきデータ操作部４１は外部記憶媒体３６内の画像データをデータ一時格納部４０に移動処理を実行する。
【００９８】
（ステップＳ２０６）
ＣＰＵ３１は、図１７のフローチャートに示す「ファイル復元処理」機能を実行した後、図１６中の機能選択画面作成（ステップＳ２０７）の実行に移行すると共に表示パネル１３上に機能選択画面を表示する。
【００９９】
（ステップＳ２０８）
ＣＰＵ３１には、表示パネル１３にこの機能選択画面を表示している間、利用者がログアウトボタン２０を押下したか否かの判別を行える設定が成されている。
利用者がログアウトボタン２０を押下しなければ、ＣＰＵ３１は機能選択（ステップＳ２０９）の実行を可能とし、ログアウトボタン２０を押下するとログアウト処理（ステップＳ２１４）以降の動作を実行する。
【０１００】
（ステップＳ２１１）
本実施例２ではディジタルカメラからの写真による画像データをプリントする場合であるから実施例１同様図７の表示パネル１３中「プリント」ボタン２１を押下する。
「プリント」ボタン２１が押下されたことにより、ＣＰＵ３１からの実行指令に基づき表示パネル１３には、図８に示す表示画面が示される。利用者はその表示に従って表示パネル１３を操作する。
利用者は、画像データのファイルの選択とプリント実行時のパラメータ設定後操作パネル部３５のスタートボタン１５を押下することによってプリンタ部３３を駆動し、所定の画像データをプリントすることができる。
【０１０１】
（ステップＳ２１３）
また、利用者がログアウトボタン２０又は終了ボタンを押下すると、これによりＣＰＵ３１は、ログアウト処理（ステップＳ２１４）及び前ログインユーザ情報記憶部４２の内容更新処理（ステップＳ２１５）、更に、メモリーカード抜忘れ対策処理（ステップＳ２１６）を実行して終了する。
これにより、メモリカードを装着したまま暫く放置している間に、第三者が後から使用しても、その者に外部記憶媒体３６内のデータ内容を見られることはない。
【０１０２】
また、外部記憶媒体３６内のデータ全てが装置本体側のデータ一時格納部４０に退避されてしまうことも防止できる。
【０１０３】
なお、前ログインユーザ情報の更新（ステップＳ２１５）処理では、外部記憶媒体３６からの画像データは、ＣＰＵ３１のプログラム指令に基づいて、前ログインユーザ情報記憶部４２の内容が更新される。
【０１０４】
図１８は、ＣＰＵ３１が外部記憶媒体３６内のデータ内容の移動処理を実行する場合を、フローチャートに示す。
【０１０５】
これに従い、前利用者が外部記憶媒体３６を装置本体に装着したまま暫く放置しても、外部記憶媒体３６内の前使用画像データだけがデータ一時格納部４０に移動する（ステップＳ２２１〜ステップＳ２２４）。このフローは図１６のメモリカード内容移動処理（ステップＳ２０５）から呼び出される。この時、画像データは暗号化された乱数での上書き等を行い、また、外部記憶媒体に戻すときには、複合化して移動させる。
【０１０６】
次に、データ一時格納部４０に保存された画像データを外部記憶媒体３６に戻す復元処理についての動作説明をする。
図１７はそのフローチャートであり、図４のステップＳ１０３から呼び出される。
ここで直前のログイン処理でログインを行った利用者のユーザＩＤは「０００１」であり、かつ図３に示す識別情報記録部３９の保存場所の項目は全て「一時保存」つまり、ステップＳ１５４の処理後の状態となり、以下の手順に従ってなされる。
【０１０７】
（ステップＳ１６１）
先ず、ＣＰＵ３１は、識別情報記録部３９の行を抽出する。ここでは、ユーザＩＤがログオン中のユーザＩＤで、かつ格納場所が「一時保存」である行、すなわち、図３に示すＮｏ．３の行を抽出する。
【０１０８】
（ステップＳ１６２）
ＣＰＵ３１は、ステップＳ１６１で抽出した結果、抽出数が１以上かを判断する。抽出数が１以上ならば、ステップＳ１６３の動作を行い、抽出数が０ならば動作を終了する。
【０１０９】
（ステップＳ１６３）
ＣＰＵ３１は、操作パネル部３５の表示パネルに、データ一時格納部４０に保存された画像データを外部記憶媒体３６に戻すかを問い合わせる復元画面を作成する。ここでは、ステップＳ１６１で取得した行に記録されているファイルを外部記憶媒体３６に移動して戻すのか問い合わせる画面を作成する。図１９にファイル復元問い合わせ画面を示す。復元対象であるファイルのファイル名を表示するリスト２４と復元実行する「はい」復元を行わない「いいえ」の各ボタン２９がある。ここで表示パネル１３には、ファイル名の代わりに図２０に示すように、ファイル名の内容を表すサムネイルを表示してもよい。
【０１１０】
（ステップＳ１６４）
ＣＰＵ３１は、ステップＳ１６３で問い合わせた結果、利用者が画像データを外部記憶媒体３６に戻す選択をしたと判断したら、つまり、「はい」ボタンを押下したならばステップＳ１６５の動作を行う。一方、「いいえ」ボタンを押下したならばステップＳ１６７の動作を行う。
【０１１１】
（ステップＳ１６５）
ＣＰＵ３１は、データ操作部４１に対し、データ一時格納部４０に保存された画像データを外部記憶媒体３６に戻すように指令する。データ操作部４１はデータ一時格納部４０に保存された画像データの中からステップＳ１６１で取得した行のファイル名に対応するファイルを外部記憶媒体３６に移動する。ここでは、「ＰＲＩＮＴ０００１」というファイルをデータ一時格納部４０から外部記憶媒体３６に移動する。
【０１１２】
（ステップＳ１６６）
ＣＰＵ３１は、識別情報記録部３９の内容を変更する。具体的にはステップＳ１６１で取得した行の保存場所を「メモリカード」に書き換え、更新する。ここでは図３に示すＮｏ．３の行の保存場所を「一時保存」から「メモリカード」と書き換え、処理を終了する。
【０１１３】
（ステップＳ１６７）
ＣＰＵ３１は、操作パネル部３５の表示パネルに、データ一時格納部４０に保存された画像データを消去するかを問い合わせる画面を作成する。図２１はファイル消去問い合わせ画面を示す。この画面には、消去対象であるファイルのファイル名を表示するリスト２４と消去を実行する「はい」、消去を行わない「いいの」の各ボタン２９を有している。ここでの表示パネルには、図２２に示すようなファイルの内容をサムネイル表示にしてもよい。
【０１１４】
（ステップＳ１６８）
ＣＰＵ３１は、ステップＳ１６７で問い合わせた結果、利用者が画像データを消去すると選択したならば、ステップＳ１６９の動作を行う。戻さないと選択したならば、処理を終了する。つまり、利用者が「はい」ボタンを押下したならばステップＳ１６９の動作を行い、「いいえ」ボタンを押下したならば処理を終了する。
【０１１５】
（ステップＳ１６９）
ＣＰＵ３１は、データ操作部４１に対し、データ一時格納部４０に保存された画像データを消去するように指令する。データ操作部４１は、データ一時格納部４０に保存された画像データの中からステップＳ１６１で取得した行のファイル名に対応するファイルを消去する。ここでは「ＰＴＩＮＴ０００１」というファイルをデータ一時格納部４０から消去する。
【０１１６】
（ステップＳ１７０）
ＣＰＵ３１は、識別情報記録部３９の内容を更新する。具体的には、ステップＳ１６１で取得した行を消去し、更新する。ここでは、図３に示すＮｏ．３の行を消去し、処理を終了することによって外部記憶媒体３６へのデータの復元が短時間にできる。  また、実施例２においても、外部記憶媒体７を装着したままログアウトして、次の利用者がログインした場合、外部記憶媒体７内のデータを次の利用者である第三者は利用できなくなり、セキュリティが向上する。
【産業上の利用可能性】
【０１１７】
本発明は、ＭＦＰについて説明したが、これに限らず個々のプリンタや複写機或いはスキャナに利用可能である。
【符号の説明】
【０１１８】
１    ＭＦＰ
２    ＣＰＵ
３    スキャナ部
４    プリンタ部
５    ストレージ部
６    操作パネル部
７    外部記憶媒体
８    外部記憶媒体Ｉ／Ｆ部
９    外部記憶媒体検出部
１０  識別情報記録部
１１  データ一時格納部
１２  データ操作部
１３  表示パネル
１４  入力操作キー
１５  スタートボタン
１６  キャンセルボタン
１７  ユーザＩＤテキストボックス
１８  パスワードテキストボックス
１９  ログインボタン
２０  ログアウトボタン
２１  プリントボタン
２２  クリアボタン
２３  ファイル格納先欄
２４  リストボックス
２５  各種設定ボタン
２６  詳細設定ボタン
２７  ログアウトボタン
２８  終了ボタン
２９  選択ボタン
４２  前ログインユーザ情報記憶部
【図１】
2010233166.tif 000003
【図２】
2010233166.tif 000004
【図３】
2010233166.tif 000005
【図４】
2010233166.tif 000006
【図５】
2010233166.tif 000007
【図６】
2010233166.tif 000008
【図７】
2010233166.tif 000009
【図８】
2010233166.tif 000010
【図９】
2010233166.tif 000011
【図１０】
2010233166.tif 000012
【図１１】
2010233166.tif 000013
【図１２】
2010233166.tif 000014
【図１３】
2010233166.tif 000015
【図１４】
2010233166.tif 000016
【図１５】
2010233166.tif 000017
【図１６】
2010233166.tif 000018
【図１７】
2010233166.tif 000019
【図１８】
2010233166.tif 000020
【図１９】
2010233166.tif 000021
【図２０】
2010233166.tif 000022
【図２１】
2010233166.tif 000023
【図２２】
2010233166.tif 000024